(57)【要約】      （修正有）【課題】自然層、乾燥層、消臭層が積層されて、動物にアレルギーを発症させない。【解決手段】防水シート２、消臭体４、乾燥層６、自然層７が下から順番に積層される。動物の排泄物、よだれ、汗などが、乾燥層６で速く乾燥され、アレルギー発症因子が飛散・拡散しない。乾燥層６の繊維の隙間または溝内に動物の排泄物、よだれ、汗などが封じ込められ、アレルギー発症因子が飛散・拡散しない。動物の排泄物、よだれ、汗などが、消臭体４の光触媒ビーズで消臭分解されて、アレルギー発症因子が飛散・拡散しない。３列の堤体８…では動物の汚れ、垢、ふけ、毛などが拭き取られ、堤体８…の間の凹部１１…内に封じ込められ、アレルギー発症因子が飛散・拡散しない。【選択図】図１
2009254287.tif 000002
【特許請求の範囲】
【請求項１】
農薬または／及び化学肥料などの化学物質を使用しないで育成・加工された繊維素材よりなり、動物のアレルギー発症因子が除去または防がれた、動物が上に直接乗る透水性の自然層と、
この自然層の下に配置された、繊維に微小な隙間または微小な溝が形成され、この隙間または溝を通じて、水分がよく吸収され、この吸収された水分がよく拡散されて、この拡散された水分がよく蒸発される乾燥層と、
この乾燥層の下に配置された、消臭機能を有する粒状の素材からなる隙間を有する消臭層とを備えたことを特徴とする動物用敷具。
【請求項２】
上記消臭層の下、消臭層と乾燥層との間、または乾燥層と自然層との間には、遠赤外線を発する繊維素材からなる遠赤外線層を更に備えたことを特徴とする請求項１記載の動物用敷具。
【請求項３】
上記自然層の周囲には複数列の堤体が形成され、この複数の堤体には出入りする動物の足または腹が接触してアレルギー発生因子が除去されることを特徴とする請求項１または２記載の動物用敷具。
【請求項４】
上記自然層の周囲には複数列の堤体が形成され、この複数の堤体のうち、内側の堤体は外側の堤体より低いことを特徴とする請求項１、２または３記載の動物用敷具。
【請求項５】
上記自然層の周囲には複数列の堤体が形成され、この複数の堤体の間には凹部が形成されていることを特徴とする請求項１、２、３または４記載の動物用敷具。
【請求項６】
上記堤体の中は変形しやすい素材または空洞であることを特徴とする請求項１、２、３、４または５記載の動物用敷具。
【請求項７】
上記自然層の周囲には複数列の堤体が形成され、この堤体は上記自然層に対して着脱自在であることを特徴とする請求項１、２、３、４、５または６記載の動物用敷具。
【請求項８】
上記自然層の周囲には複数列の堤体が形成され、この堤体は互いに着脱自在であることを特徴とする請求項７記載の動物用敷具。
【請求項９】
上記消臭層の下には水分を通さない防水層が設けられていることを特徴とする請求項１、２、３、４、５、６、７または８記載の動物用敷具。
【請求項１０】
上記消臭層と上記乾燥層とは上下入れ替わる、または上記乾燥層と上記自然層とは上下入れ替わる、または上記消臭層と上記自然層とは上下入れ替わることを特徴とする請求項１、２、３、４、５、６、７、８または９記載の動物用敷具。
【発明の詳細な説明】
【技術分野】
【０００１】
本発明は、動物用敷具に関し、特にペットなどの動物が休憩したり睡眠したりする敷具に関する。
【背景技術】
【０００２】
従来、動物用敷具としては、消臭効果または抗菌効果を有する素材で構成されたものなどがある。また、最近はペットなどの動物がアレルギー症状を発症し、これを防止することが考えられている。
【０００３】
【特許文献１】特開平０６−０１４６７０号公報
【特許文献１】特開平０９−１７２８９４号公報
【特許文献１】実用新案登録３０５４１６８号公報
【発明の開示】
【発明が解決しようとする課題】
【０００４】
本件発明は、上述した課題を解決するためになされたものであり、本発明の目的は、動物がアレルギー症状を発症しない動物用敷具を提供することである。
【課題を解決するための手段】
【０００５】
上記目的を達成するために、本件発明は、  農薬または／及び化学肥料などの化学物質を使用しないで育成・加工された繊維素材よりなり、動物のアレルギー発症因子が除去または防がれた、動物が上に直接乗る透水性の自然層と、  この自然層の下に配置された、繊維に微小な隙間または微小な溝が形成され、この隙間または溝を通じて、水分がよく吸収され、この吸収された水分がよく拡散されて、この拡散された水分がよく蒸発される乾燥層と、  この乾燥層の下に配置された、消臭機能を有する粒状の素材からなる隙間を有する消臭層とを備えた。
【発明の効果】
【０００６】
これにより、動物がアレルギー症状を発症しない。また、動物の排泄物、よだれ、汗などが、乾燥層で速く乾燥され、アレルギー発症因子が飛散・拡散しない。乾燥層の繊維の隙間または溝内に動物の排泄物、よだれ、汗などが封じ込められ、アレルギー発症因子が飛散・拡散しない。動物の排泄物、よだれ、汗などが、消臭層で消臭分解されて、アレルギー発症因子が飛散・拡散しない。
【発明を実施するための最良の形態】
【０００７】
（１）動物用敷具１の構造
図１は動物用敷具１の上方からの外観を示し、図２は動物用敷具１の下方からの外観を示し、図３は動物用敷具１の断面を示す。方形シート状の防水シート２（防水層）の下面には複数のすべり止め３…が接着されている。このすべり止め３…は、摩擦の大きい布または素材、または着脱自在または固着性の粘着性の素材からなっている。
【０００８】
摩擦の大きい布または素材は、ビロードなど肌理の細かいまたは起毛の多い布などからなったり、接着性の素材は劣化しにくい接着性の弱い接着剤が塗布されたり、他に重量の重い素材であったり、シート状の磁石だったり、これらの複合物だったりする。
【０００９】
本動物用敷具１が設置される面が、じゅうたんなどであれば上記摩擦の大きい布または素材または重い素材が選ばれ、畳・板の間などであれば上記接着性の素材または重い素材が選ばれ、金属製の面であれば上記磁石が選ばれる。
【００１０】
上記防水シート２は、ポリエチレン、ポリプロピレン、ポリスチレンなどの水分を通さない樹脂製のシート、防水加工された布・紙、金属板、これらの複合物などからなる。防水加工された布としては、例えば、水分散型ポリエステル樹脂、例えばバイロンまたはバイロナール（東洋紡績株式会社の商品）を付着・含浸させた糸・繊維からなる不織布または織布がある。
【００１１】
このような防水シート２によって、動物の排泄物が漏れたり飛散・拡散されたりすることが防止される。よって、後述する自然層７のアレルギー発症防止効果が相乗的に高められる。
【００１２】
図４は消臭体４（消臭層）の構造を示す。上記防水シート２の上には、消臭機能を有する粒状の素材からなる消臭体４（消臭層）が接着または縫合などによって接合されている。この消臭体４は、網状または布上の袋の中に、消臭機能を有する粒状の素材、例えば多数の光触媒ビーズ５…が内蔵されていて、多くの隙間が形成されている。光触媒ビーズ５は、プラスチックの小玉・小片・小チューブの表面に、光触媒機能を有する塗料・素材が塗布・付着されている。
【００１３】
この光触媒機能を有する塗料・素材によって、臭いの原因となる物質が分解され無臭化される。この光触媒機能を有する塗料・素材としては、二酸化チタン、ＣｄＳ、ＣｄＳｅ、ＷＯ3 、Ｆｅ2Ｏ3 、ＳｒＴｉＯ3 、ＫＮｂＯを光触媒ビーズ５の表面にアパタイトなどのコーティングしたもの、シャインアップ（繊維、布、綿）、ディスメル（東洋紡績株式会社の商品）、エピコモド等を丸くしたものまたは筒状にしたものなどが選択される。
【００１４】
また、光触媒ビーズ５の小玉の外形の大きさは、光触媒ビーズ５の小チューブの内径の大きさより大きい。これにより、光触媒ビーズ５の小玉が小チューブの内に入ってしまうことがない。したがって、長く使用しても、また動物用敷具１を洗濯しても、光触媒ビーズ５全体としての体積が減少してしまうことなく、長く快適に使用できる。上記光触媒ビーズ５には、場合によってアパタイト加工シリカゲルが混合される。これにより、光触媒ビーズ５の乾燥作用をより向上させることができる。
【００１５】
このような光触媒作用によって、動物の排泄物、汗、唾液、垢などなどの汚れが分解されるので、動物のアレルギーの発症が防止される。よって、後述する自然層７のアレルギー発症防止効果が相乗的に高められる。
【００１６】
この消臭体４の上には、速乾性の素材からなる乾燥層６が接着または縫合などによって接合されている。この乾燥層６の布を構成する繊維には、微小な隙間または微小な溝が形成され、この隙間または溝を通じて、水分がよく吸収され、この吸収された水分がよく拡散されて、この拡散された水分がよく蒸発・乾燥されて、乾燥が速い。この乾燥層６の布は、不織布、織布いずれでもよい。
【００１７】
この乾燥層６には、例えば繊維・糸の表面にＴ型断面の溝が形成された、ポリエステル短繊維、例えばパナパックまたはパナパックＱＤ（株式会社クラレの商品）が用いられ、このＴ型断面の溝の毛細管現象によって、水分がよく吸収され、この吸収された水分がよく拡散されて、この拡散された水分がよく蒸発・乾燥されて、乾燥が速くなる。この溝はＴ型以外にＬ型、Ｉ型、Ｖ型、Ｗ型などでもよい。
【００１８】
また、乾燥層６には、他に同様の機能を有するウォーターマジック（株式会社クラレの商品）、このウォーターマジック、パナパックまたは／及びパナパックＱＤの混織が用いられてもよい。ウォーターマジックでは、繊維の断面が扁平にされ、異収縮のヤーンに捻れが持たされる。
【００１９】
これにより繊維に無数のランダムな微細な隙間ができ、この隙間の毛細管現象によって、水分がよく吸収され、この吸収された水分がよく拡散されて、この拡散された水分がよく蒸発・乾燥されて、乾燥が速くなる。この隙間の断面形状は不定形であり、どのような形状でもよい。
【００２０】
この乾燥層６の繊維には微小な隙間または微小な溝が形成されているので、動物の排泄物、汗、唾液、垢などがこの隙間または溝に入り込み飛散・拡散されない。したがって、このような動物の排泄物による動物のアレルギー発症が防止される。よって、後述する自然層７のアレルギー発症防止効果が相乗的に高められる。このような隙間または溝に入り込んだ排泄物は、洗濯によって除去される。これにより、排泄物による動物のアレルギー発症が防止される。
【００２１】
この乾燥層６の上には、自然層７が接着または縫合などによって接合されている。この自然層７は、農薬または／及び化学肥料などの化学物質を使用しないで育成・加工された透水性の繊維素材よりなる。この自然層７の上には、ペットなどの動物が直接乗る。
【００２２】
この自然層７には、オーガニックコットンの綿素材の不織布または織布が使用される。このオーガニックコットンは、農薬及び化学肥料などの化学薬品・化学物質を使用しないで育成された綿花から加工されている。これにより、動物のアレルギー発症因子が除去され、上に乗る動物にアレルギーが発症しない。農薬及び化学肥料などの化学薬品・化学物質を使用しないものであれば、麻、絹、羊毛などの植物繊維、動物繊維でもよい。
【００２３】
この自然層７の中央付近には、オーガニックコットンの綿素材の別の布シートが一枚または複数枚積層されてもよい。これにより、動物の排泄物が下へ漏れない。このようなオーガニックコットンには化学物質が付着しておらず、自然界の物質のみからなり、アレルギー反応がなく、アトピー対策にも有効である。
【００２４】
このような自然層７には、バイオクリン（株式会社クラレの商品）が使用されても良い。このバイオクリンは、天然繊維またはポリエステル短繊維であり、青森ヒバ（ヒノキアスナロ）の材部から抽出されたヒバ油が繊維の芯部に練りこまれたり含浸されたりしている。このヒバ油の成分は徐々に放出され、ダニなどの害虫を寄せ付けず、アトピー性皮膚炎の原因を防ぐことができる。
【００２５】
また、このヒバ油によって、カビなどの菌が防がれるし、アンモニア系の悪臭などに対して消臭効果がある。さらに、このヒバ油によって、森林浴効果、リラックス効果も達成される。以上総合すると、このヒバ油によって、動物のアレルギー発症因子が除去されまたは防がれ、上に乗る動物にアレルギーが発症しない。このようなバイオクリンも、農薬及び化学肥料などの化学薬品・化学物質を使用しないで育成されたヒバから加工されている。
【００２６】
この自然層７の周囲には複数列例えば３列の堤体８…が方形枠状に形成されている。この堤体８…によって、動物が本動物用敷具１に出入りするときに、動物に接触して動物から汚れ、垢、ふけ、毛などを取って、動物用敷具１の中が汚れないようにできる。このような動物の汚れ、垢、ふけ、毛は、動物にとってもアレルギーの発症因子となるから、このような因子が堤体８…で除去され、上に乗る動物にアレルギーが発症しない。よって、上記自然層７のアレルギー発症防止効果が相乗的に高められる。
【００２７】
この堤体８…によって除去されるのは動物の足、脚、手、腕、腹側の汚れ、垢、ふけ、毛などである。動物の背中側にも汚れ、垢、ふけ、毛などがあるが、腹側に比べて背中側の汚れ、垢、ふけ、毛などは除去されやすく、背中側は腹側に比べて、人間がブラシをかけることが多くてよく除去されるので、この堤体８…によって、アレルギーの発症因子の除去効果は充分に発揮される。
【００２８】
むろん、堤体８…が門状、枠状、トンネル状にされ、堤体８…の上にも堤体８…が設けられ、この両堤体８…の間を動物がくぐるようにしてもよい。この堤体８…は、３列になっているので、この３列の堤体８…のいずれかに動物の腹、足、脚、手、腕が必ず接触し、上記汚れなどが確実に除去される。この堤体８…は、２列でも１列でも、４列以上でもよい。
【００２９】
この３列の堤体８…の各間は凹状に凹んでおり、上記除去された汚れ、垢、ふけ、毛などが、この凹部１１に閉じ込められる。したがって、除去された汚れ、垢、ふけ、毛などが飛散・拡散されず、動物のアレルギー発症が防止される。よって、上記自然層７のアレルギー発症防止効果が相乗的に高められる。
【００３０】
この堤体８…は上記自然層７と同じ素材からなるが、異なる素材からなっていてもよい。この堤体８…の上面または外面には、洋服用ブラシと同じ素材が貼り付けられてもよい。これにより、動物が出入りするときに上記汚れなどの除去がより効率的となる。
【００３１】
また、堤体８…は、外側から内側に向かって、徐々に高さが低くなっている。これにより、自然層７の上の動物が堤体８…に持たれることができ頭を載せても安定する。また、堤体８…の外側の方が高ければ、凹部１１…内に封じ込められた汚れ、垢、ふけ、毛などが、動物用敷具１の外に飛散・拡散しない。なお、堤体８…は内側の方が高くてもよいし、外側と内側の間が高くてもよい。
【００３２】
この堤体８…の内部には、上記自然層７より柔らかく変形しやすい素材、例えば綿１０…が内蔵されている。これにより、動物が堤体８…を越えるときに、堤体８…が変形して、堤体８…の動物下面への接触面積が増えて、動物の下面の汚れ、垢、ふけ、毛がより確実に除去される。この綿１０…は無くて、堤体８…の内部は空洞であってもよい。これでも同様の効果が発揮される。この綿１０は発泡ウレタン、空気の入ったクッション材などでもよい。
【００３３】
上記消臭体４と防水シート２との間、上記消臭体４と乾燥層６との間、または上記乾燥層６と自然層７との間のいずれかには、遠赤外線層９が接着または縫合されている。遠赤外線層９には、ロンウェーブ」（株式会社クラレの商品）または「セラムＡ」(東洋紡株式会社の商品)または「エピコモド」」(登録商標)、「羊毛ゼオライト」または「バイネストセラ」」(登録商標)の素材が用いられる。
【００３４】
上記「シャインアップ」は、ポリエステル繊維とナイロン繊維とからなる複合繊維に金属含有セラミックス系の特殊消臭剤が練り込まれており、二酸化チタンによる光触媒反応により消臭と抗菌効果が発揮される。株式会社信州セラミックスから販売されている布などでも同様のものがある。
【００３５】
上記「ロンウェーブ」、「セラムＡ」または「エピコモド」は、アクリル繊維またはその他の繊維に超微粒子セラミックスが内蔵され／練り込まれている。このセラミックスの働きにより、体温近くの摂氏４０度前後において、遠赤外線が外部へと放射されて、人体への加温効果が発揮される。摂氏４０度前後において、遠赤外線の発生量が最も多い。
【００３６】
上記「ロンウェーブ」、「セラムＡ」または「エピコモド」の発する遠赤外線の波長は、５．０μｍ以上にわたってほぼまんべんなく多く、上記ゼオライトの発する遠赤外線の波長は、１．５乃至６．０μｍ付近が非常に多く、「ロンウェーブ」の発する遠赤外線の波長は、８乃至１６μｍ付近が非常に多い。
【００３７】
上記「羊毛ゼオライト」または「バイネストセラ」は、天然鉱石であるゼオライトを加工したセラミックスとその微粒子を羊毛などの天然繊維の表面に堅牢に付着させたものである。このセラミックスとその微粒子の働きによって、体温より低温でも遠赤外線が十分に外部へ放射されて、人体への加温効果が発揮される。
【００３８】
このような遠赤外線層９からの遠赤外線によって、上記消臭体４の光触媒ビーズ５の光触媒作用が活性化され、上記アレルギー発症の防止効果が高められる。また、このような遠赤外線層９からの遠赤外線によって、上記乾燥層６の乾燥効果が高められ、アレルギー発生因子の飛散・拡散が防止され、上記アレルギー発症の防止効果が高められる。この結果、上記自然層７のアレルギー発症防止効果が相乗的に高められる。
【００３９】
このような遠赤外線層９による効果は、この遠赤外線層９に隣接するほど、各層２、４、６、７の効果が高められる。遠赤外線層９との間に別の層２、４、６、７が入っても、この効果は若干低下するものの達成される。遠赤外線層９が下層になるほど、動物の排泄物、汗、よだれ、垢などによって汚れる可能性が低くなる。
【００４０】
上記乾燥層６の下で上記消臭体４の上であれば、上記排泄物は乾燥層６で速く乾燥され、遠赤外線層９はこの排泄物などで汚れる可能性が低くなり、上記光触媒作用を強めて永続でき、上記効果をより強く永続して発揮できる。
【００４１】
遠赤外線層９が乾燥層６の上であれば、動物を暖めることができるが、上記排泄物などで汚れやすくなる。遠赤外線層９が消臭体４の下であれば、かなり汚れにくくなる。遠赤外線は浸透性・透過性がよいので、かなり遠赤外線層９が下層に位置しても上部の動物を暖めることができる。
【００４２】
上記防水シート２、消臭体４、乾燥層６、自然層７、遠赤外線層９の全部または一部、例えば乾燥層６と自然層７とはキルティング加工で連結される。これにより、各層２、４、６、７、９の内容物が偏在せず、均一の厚さが維持される。
【００４３】
本動物用敷具１または上記堤体８…などの幅、奥行き、高さ、寸法、大きさは、上に乗る動物の大きさによって種々変更される。堤体８…の高さ、幅などは、動物の脚の長さ、足から腹までの高さ、前足と後足との間隔などに応じて変更される。
【００４４】
本動物用敷具１は洗濯可能であり、上述の動物の排泄物、汗、よだれ、汚れ、垢、ふけ、毛などは、洗濯によって確実に除去される。これにより、本動物用敷具１を長く使用しても、動物のアレルギー発生因子が蓄積されず、動物のアレルギー発症が防止され、上記自然層７のアレルギー発症防止効果が相乗的に高められる。
【００４５】
（２）他の実施の形態
本発明は、上記実施例に限定されず、種々変更可能である。例えば、堤体８…は上記自然層７に対して着脱自在でもよい。これにより、堤体８…が上記動物の上記毛などで汚れたとき、または凹部１１に上記毛などが多く溜まってしまったときに、取り外して洗濯・洗浄・清掃でき、アレルギー発生因子を除去できる。この場合、各堤体８…は自然層７に対して面ファスナーなどで着脱自在にされる。
【００４６】
そして、各堤体８…同士も、面ファスナーなどで着脱自在にされてもよい。これにより、各堤体８…間の凹部１１内の動物の毛などを容易に洗濯・洗浄・清掃でき、アレルギー発生因子を除去できる。
【００４７】
上記消臭体４と上記乾燥層６とは上下入れ替わってもよい。これにより、動物の排泄物、よだれ、汗、汚れ、垢、ふけ、毛などがより強く消臭分解される。また上記乾燥層６と上記自然層７とは上下入れ替わってもよい。これにより、動物の排泄物、よだれ、汗などが、より速く乾燥されて、乾燥層の繊維の隙間または溝に封じ込められる。さらに上記消臭体４と上記自然層７とは上下入れ替わってもよい。これにより、動物の排泄物、よだれ、汗、汚れ、垢、ふけ、毛などがより強く消臭分解される。
【００４８】
また防水シート２は、消臭体４、乾燥層６、自然層７または遠赤外線層９と入れ替わってもよい。消臭体４は、防水シート２、乾燥層６、自然層７または遠赤外線層９と入れ替わってもよい。乾燥層６は、防水シート２、消臭体４、自然層７または遠赤外線層９と入れ替わってもよい。自然層７は、防水シート２、消臭体４、乾燥層６または遠赤外線層９と入れ替わってもよい。遠赤外線層９は、防水シート２、消臭体４、乾燥層６または自然層７と入れ替わってもよい。
【００４９】
上記自然層７には、ヒバ（青森ヒバ）、ヒノキ、ヒヨクヒバ、アスナロ、ヒノキアスナロ、アテなどからの抽出エキスまたは粉砕・切削された木粉が含有されてもよい。
【００５０】
この抽出エキス・木粉にはヒノキチオールとシャンメールＢが含有され、抗菌性、防腐性、耐水性、ダニ・シロアリなどの防虫性が強く、アレルギー反応がなくアトピー対策にも有効である。この中で、ヒバ（青森ヒバ）は他より、ヒノキチオールとシャンメールＢがより多く含まれ、抗菌性、防腐性、耐水性、防虫性、非アレルギー性がより高い。ヒノキはヒバ（青森ヒバ）に比べて消臭効果が高い。
【００５１】
本動物用敷具１に乗って使用する動物は、犬・猫・リス・ハムスターなどの哺乳類の小動物、哺乳類の大動物、オウム・インコ・ニワトリなどの鳥類、亀・トカゲ・蛇などの爬虫類、イモリなどの両生類、乳児などの人間でもよい。
【００５２】
堤体８…の断面構造は蒲鉾型のほか、円形、楕円形、方形、三角形、多角形、凹凸のある形状などでもよい。堤体８…は自然層７に沿って水平方向に沿って配列されるほか、縦方向・斜め方向に配列されてもよい。堤体８…の一部または全部は省略されても良い。
【００５３】
上記防水シート２、消臭体４、乾燥層６、自然層７、遠赤外線層９の全部または一部は省略されて良いし数が増えてもよい。すべり止め３…の全部または一部は省略されて良いし数が増えてもよい。光触媒ビーズ５の全部または一部は省略されて良いし数が増えてもよい。凹部１１の全部または一部は省略されて良いし数が増えてもよい。綿１０の全部または一部は省略されて良いし数が増えてもよい。
【００５４】
消臭体４は光触媒によるもののほか、活性炭などの臭い吸着剤や、エントラント、バイロンまたは／及びサニター３０などの抗菌作用を有する素材からなっていてもよい。これにより、排泄物や褥瘡からの剥離片などの汚物や雑菌・細菌などが付着してもこれらが分解され、雑菌の繁殖を押さえるかまたは繁殖を押さえ、抗菌・消臭の効果を発揮し、清潔に保たれる。
【００５５】
上記消臭体４は、他に、シャインアップ、バンブー繊維、キチンキトサン繊維、ディスメルなどでもよい。このシャインアップは、ポリエステル繊維とナイロン繊維とからなる複合繊維に金属含有セラミックス系の特殊消臭剤が練り込まれており、二酸化チタンによる光触媒反応により消臭と抗菌効果が発揮される。株式会社信州セラミックスから販売されている布などでも同様のものがある。
【００５６】
上記バンブー繊維（竹繊維）は、竹からつくられた繊維であり、抗菌、消臭、吸湿（湿気の吸収）、調湿（湿気／湿度の自動調整）、放湿（湿気の排出）、遠赤外線発生、静電気が発生しにくいなどの性質を有する。またバンブー繊維は、光沢性、発色性、熱の放射性にも優れている。さらに、バンブー繊維は、染色性、発色性に優れ、着心地、肌触りもよい。調湿作用は内側の湿度が上がると湿気を外に排出し、内側の湿度が下がると外気の湿気を吸収する作用であって、内側の湿度を一定に保つ作用である。
【００５７】
上記キチンキトサン繊維は、キチンキトサンの成分を繊維表面にコーティングまたは繊維内部に練り込まれている。この繊維表面のコーティングまたは繊維内部の練り込みは、後述するバイオゼストセラまたはセラムＡにおけるセラムックスのコーティングまたは練り込みと同様の手法によって行われる。
【００５８】
このキチンキトサンの成分は、カニや海老の甲羅から周波数出された成分である。キチンキトサン繊維の布は、水虫の菌またはメチシリン耐性黄色ブドウ球菌に対する抗菌性、殺菌性が非常に強く、他に抗カビ性、防臭性も有している。また、キチンキトサン繊維の布は、水なじみがよく、夏涼しく、冬暖かく感じ、吸湿（湿気の吸収）、調湿（湿気／湿度の調整）、放湿（湿気の排出）の性質を有する。さらに、キチンキトサン繊維の布は、天然繊維なので皮膚へのなじみもよく、静電気が発生しにくく、洗濯耐性もよく、染色性、光沢性に優れている。
【００５９】
このディスメルは、東洋紡績株式会社から販売されている。この布については、有限会社高研他が権利者となっている実用新案権第３０５６５７３号、又は第３０６１３２４号の公報内に記載されており、これらのものが購入されて本考案の内布２及び外布などに使用される。
【００６０】
このディスメルは、アクリレート系繊維のアンモニア消臭及び抗菌素材である。すなわち、ｐＨ緩衝能（ｐＨ変化を緩和する能力）を有する架橋アクリル系繊維が配合されている不織布にカルボン基が付着されており、このカルボン基（ＣＯＯＨ）にアンモニア（ＮＨ3）が作用するとイオン結合により無臭のカルボン酸アンモニウム塩（ＣＯＯＨＮＨ4）が生成されることで、アンモニア臭が除去され、アンモニアによる雑菌繁殖を押さえる。これにより、ディスメルは、消臭作用及び抗菌作用を有する。このディスメルはふんわりとした綿状であり、保温作用がある。
【００６１】
（３）他の発明の効果
[１]農薬または／及び化学肥料などの化学物質を使用しないで育成・加工された繊維素材よりなり、動物のアレルギー発症因子が除去または防がれた、動物が上に直接乗る透水性の自然層と、  この自然層の下に配置された、繊維に微小な隙間または微小な溝が形成され、この隙間または溝を通じて、水分がよく吸収され、この吸収された水分がよく拡散されて、この拡散された水分がよく蒸発される乾燥層と、  この乾燥層の下に配置された、消臭機能を有する粒状の素材からなる隙間を有する消臭層とを備えたことを特徴とする動物用敷具。
【００６２】
[２]上記消臭層の下、消臭層と乾燥層との間、または乾燥層と自然層との間には、遠赤外線を発する繊維素材からなる遠赤外線層を更に備えたことを特徴とする請求項１記載の動物用敷具。これにより、上記乾燥層の乾燥効果、消臭層の消臭効果がより強くなり、上記自然層のアレルギー発症防止効果が相乗的に高められる。
【００６３】
[３]上記自然層の周囲には複数列の堤体が形成され、この複数の堤体には出入りする動物の足または腹が接触してアレルギー発生因子が除去されることを特徴とする請求項１または２記載の動物用敷具。これにより、動物のアレルギー発生因子の飛散・拡散が防止され、上記自然層のアレルギー発症防止効果が相乗的に高められる。
【００６４】
[４]上記自然層の周囲には複数列の堤体が形成され、この複数の堤体のうち、内側の堤体は外側の堤体より低いことを特徴とする請求項１、２または３記載の動物用敷具。これにより、自然層の上の動物が堤体に持たれることができ頭を載せても安定する。また、堤体で取られた汚れ、垢、ふけ、毛などが、動物用敷具の外に飛散・拡散しにくい。
【００６５】
[５]上記自然層の周囲には複数列の堤体が形成され、この複数の堤体の間には凹部が形成されていることを特徴とする請求項１、２、３または４記載の動物用敷具。この凹部内に動物の汚れ、垢、ふけ、毛などが閉じ込められ、動物のアレルギー発生因子の飛散・拡散が防止され、上記自然層のアレルギー発症防止効果が相乗的に高められる。
【００６６】
[６]上記堤体の中は変形しやすい素材または空洞であることを特徴とする請求項１、２、３、４または５記載の動物用敷具。これにより、堤体が変形して、堤体の動物下面への接触面積が増えて、動物の下面の汚れ、垢、ふけ、毛などがより確実に取り除かれ、動物のアレルギー発生因子が除去され、上記自然層のアレルギー発症防止効果が相乗的に高められる。
【００６７】
[７]上記自然層の周囲には複数列の堤体が形成され、この堤体は上記自然層に対して着脱自在であることを特徴とする請求項１、２、３、４、５または６記載の動物用敷具。これにより、堤体に付着した動物の汚れ、垢、ふけ、毛などを容易に清掃でき、動物のアレルギー発生因子が除去され、上記自然層のアレルギー発症防止効果が相乗的に高められる。
【００６８】
[８]上記自然層の周囲には複数列の堤体が形成され、この堤体は互いに着脱自在であることを特徴とする請求項７記載の動物用敷具。これにより、堤体の間に入り込んだ動物の汚れ、垢、ふけ、毛などを容易に清掃でき、動物のアレルギー発生因子が除去され、上記自然層のアレルギー発症防止効果が相乗的に高められる。
【００６９】
[９]上記消臭層の下には水分を通さない防水層が設けられていることを特徴とする請求項１、２、３、４、５、６、７または８記載の動物用敷具。これにより、動物の排泄物、汗、よだれなどが本動物用敷具の下まで拡散せず、動物のアレルギー発生因子の飛散・拡散が防止され、上記自然層のアレルギー発症防止効果が相乗的に高められる。
【００７０】
[１０]上記消臭層と上記乾燥層とは上下入れ替わる、または上記乾燥層と上記自然層とは上下入れ替わる、または上記消臭層と上記自然層とは上下入れ替わることを特徴とする請求項１、２、３、４、５、６、７、８または９記載の動物用敷具。
【００７１】
消臭層と上記乾燥層とが上下入れ替わると、動物の排泄物、よだれ、汗、汚れ、垢、ふけ、毛などがより強く消臭分解される。また乾燥層と上記自然層とが上下入れ替わると、動物の排泄物、よだれ、汗などが、より速く乾燥されて、乾燥層の繊維の隙間または溝に封じ込められる。さらに消臭層と自然層とが上下入れ替わると、動物の排泄物、よだれ、汗、汚れ、垢、ふけ、毛などがより強く消臭分解される。
【産業上の利用可能性】
【００７２】
自然層、乾燥層、消臭層が積層されて、動物にアレルギーを発症させない。防水シート２、消臭体４、乾燥層６、自然層７が下から順番に積層される。動物の排泄物、よだれ、汗などが、乾燥層６で速く乾燥され、アレルギー発症因子が飛散・拡散しない。乾燥層６の繊維の隙間または溝内に動物の排泄物、よだれ、汗などが封じ込められ、アレルギー発症因子が飛散・拡散しない。
【００７３】
動物の排泄物、よだれ、汗などが、消臭体４の光触媒ビーズ５で消臭分解されて、アレルギー発症因子が飛散・拡散しない。３列の堤体８…では動物の汚れ、垢、ふけ、毛などが拭き取られ、堤体８…の間の凹部１１…内に封じ込められ、アレルギー発症因子が飛散・拡散しない。
【図面の簡単な説明】
【００７４】
【図１】動物用敷具１の断面を示す。
【図２】動物用敷具１の上方からの外観を示す。
【図３】動物用敷具１の下方からの外観を示す。
【図４】消臭体４（消臭層）の構造を示す。
【符号の説明】
【００７５】
１…動物用敷具、２…防水シート（防水層）、
３…すべり止め、４…消臭体（消臭層）、
５…光触媒ビーズ、６…乾燥層、
７…自然層、８…堤体、９…遠赤外線層、
１０…綿、１１…凹部。
【図１】
2009254287.tif 000003
【図２】
2009254287.tif 000004
【図３】
2009254287.tif 000005
【図４】
2009254287.tif 000006